(57)【要約】【課題】サービス毎または番組毎の解像度を電子番組表で容易に判別可能とすること。【解決手段】受信装置は、映像コンテンツが含まれる番組を提供する複数のサービス毎に付加された解像度に関するサービス付加情報と、番組毎に付加された解像度に関する番組付加情報とを抽出する抽出部と、抽出部により抽出されるサービス付加情報と番組付加情報とに基づいて、電子番組表を生成する生成部と、を備える。【選択図】図２
2017184210.tif 000002
【特許請求の範囲】
【請求項１】
映像コンテンツが含まれる番組を提供する複数のサービス毎に付加された解像度に関するサービス付加情報と、番組毎に付加された解像度に関する番組付加情報とを抽出する抽出部と、
前記抽出部により抽出される前記サービス付加情報と前記番組付加情報とに基づいて、電子番組表を生成する生成部と、
を備える受信装置。
【請求項２】
前記生成部は、
前記サービス付加情報に基づいてサービス毎の番組表示欄の表示領域を決定し、前記番組付加情報に基づいて番組毎の番組表示欄の表示領域を決定する、
請求項１に記載の受信装置。
【請求項３】
前記生成部は、
サービス毎の番組表示欄の表示領域の幅を、最大解像度が高いサービスほど広い幅にし、最大解像度が低いサービスほど狭い幅にする、
請求項２に記載の受信装置。
【請求項４】
前記生成部は、
サービス毎の番組表示欄の表示領域内において、番組毎の番組表示欄の表示領域の幅を解像度が高い番組ほど広い幅にし、解像度が低い番組ほど狭い幅にする、
請求項３に記載の受信装置。
【請求項５】
受信装置の制御方法であって、
映像コンテンツが含まれる番組を提供する複数のサービス毎に付加された解像度に関するサービス付加情報と、番組毎に付加された解像度に関する番組付加情報とを抽出する抽出過程と、
前記抽出過程により抽出される前記サービス付加情報と前記番組付加情報とに基づいて、電子番組表を生成する生成過程と、
を含む制御方法。
【請求項６】
コンピュータに、
映像コンテンツが含まれる番組を提供する複数のサービス毎に付加された解像度に関するサービス付加情報と、番組毎に付加された解像度に関する番組付加情報とを抽出する抽出手順と、
前記抽出手順により抽出される前記サービス付加情報と前記番組付加情報とに基づいて、電子番組表を生成する生成手順と、
を実行させるためのプログラム。
【発明の詳細な説明】
【技術分野】
【０００１】
本発明は、受信装置、制御方法、及びプログラムに関する。
【背景技術】
【０００２】
高度ＢＳ（Ｂｒｏａｄｃａｓｔｉｎｇ  Ｓａｔｅｌｌｉｔｅ）デジタル放送では、４Ｋ（水平４０００×垂直２０００程度）や８Ｋ（水平８０００×垂直４０００程度）解像度の放送（以下、「４Ｋ放送」、「８Ｋ放送」ともいう）に加え、２Ｋ（水平２０００×垂直１０００程度）解像度の放送（以下、「２Ｋ放送」ともいう）も含まれる可能性がある。例えば、特許文献１には、同一内容の放送に対して複数の解像度で放送される場合、高解像度のみを選択可能に電子番組表（ＥＰＧ：Ｅｌｅｃｔｒｏｎｉｃ  Ｐｒｏｇｒａｍ  Ｇｕｉｄｅ）に表示することで、ユーザの混乱などの防止に寄与する技術が開示されている。
【先行技術文献】
【特許文献】
【０００３】
【特許文献１】特開２０１５−５９１７号公報
【発明の概要】
【発明が解決しようとする課題】
【０００４】
しかしながら、同一内容の放送に対して複数の解像度で放送される場合だけではなく、サービス毎に最大解像度が異なり、さらに同一のサービスでも番組毎に異なる解像度の放送がある場合も考えられる。この場合、従来の電子番組表では、受信装置の表示能力に適合した解像度の番組であるかが容易に分からない。そのため、例えば、８Ｋ放送を表示可能な受信装置であっても４Ｋ放送など解像度の低い番組を選択してしまうといったことが考えられる。
【０００５】
本発明は上記の点に鑑みてなされたものであり、サービス毎または番組毎の解像度を電子番組表で容易に判別できる受信装置、制御方法、及びプログラムを提供することを課題とする。
【課題を解決するための手段】
【０００６】
本発明は上記の課題を解決するためになされたものであり、本発明の一態様は、映像コンテンツが含まれる番組を提供する複数のサービス毎に付加された解像度に関するサービス付加情報と、番組毎に付加された解像度に関する番組付加情報とを抽出する抽出部と、前記抽出部により抽出される前記サービス付加情報と前記番組付加情報とに基づいて、電子番組表を生成する生成部と、を備える受信装置である。
【０００７】
また、本発明の一態様は、上記受信装置において、前記生成部は、前記サービス付加情報に基づいてサービス毎の番組表示欄の表示領域を決定し、前記番組付加情報に基づいて番組毎の番組表示欄の表示領域を決定する。
【０００８】
また、本発明の一態様は、上記受信装置において、前記生成部は、サービス毎の番組表示欄の表示領域の幅を、最大解像度が高いサービスほど広い幅にし、最大解像度が低いサービスほど狭い幅にする。
【０００９】
また、本発明の一態様は、上記受信装置において、前記生成部は、サービス毎の番組表示欄の表示領域内において、番組毎の番組表示欄の表示領域の幅を解像度が高い番組ほど広い幅にし、解像度が低い番組ほど狭い幅にする。
【００１０】
また、本発明の一態様は、受信装置の制御方法であって、映像コンテンツが含まれる番組を提供する複数のサービス毎に付加された解像度に関するサービス付加情報と、番組毎に付加された解像度に関する番組付加情報とを抽出する抽出過程と、前記抽出過程により抽出される前記サービス付加情報と前記番組付加情報とに基づいて、電子番組表を生成する生成過程と、を含む制御方法である。
【００１１】
また、本発明の一態様は、コンピュータに、映像コンテンツが含まれる番組を提供する複数のサービス毎に付加された解像度に関するサービス付加情報と、番組毎に付加された解像度に関する番組付加情報とを抽出する抽出手順と、前記抽出手順により抽出される前記サービス付加情報と前記番組付加情報とに基づいて、電子番組表を生成する生成手順と、を実行させるためのプログラムである。
【発明の効果】
【００１２】
本発明によれば、サービス毎または番組毎の解像度を電子番組表で容易に判別できる。
【図面の簡単な説明】
【００１３】
【図１】実施形態に係る受信装置１０の概略構成を示すブロック図。
【図２】実施形態に係るシステム制御部１３０の機能構成の一例を示す図。
【図３】ＭＭＴ−ＳＩの第１の構成例を示す図。
【図４】ＭＨ−サービスリスト記述子の例を示す図。
【図５】サービス形式種別の例を示す図。
【図６】サービス形式種別と解像度の設定例を示す図。
【図７】各サービスの最大解像度を識別する例を示す図。
【図８】ＭＭＴ−ＳＩの第２の構成例を示す図。
【図９】ＭＨ−ＥＩＴの構成例を示す図。
【図１０】映像コンポーネント記述子の構成例を示す図。
【図１１】映像コンポーネント記述子に含まれる映像信号解像度の例を示す図。
【図１２】サービス識別及びイベント識別と映像信号解像度とを関連付けた図。
【図１３】サービス毎の最大解像度情報と番組毎の解像度情報とを関連付けた図。
【図１４】ＥＰＧ画面の表示例を示す図。
【図１５】ＥＰＧ画面の他の表示例を示す図。
【発明を実施するための形態】
【００１４】
以下、図面を参照して、本発明の一実施形態について説明する。
（受信装置の構成）
図１は、本実施形態に係る受信装置１０の概略構成を示すブロック図である。
受信装置１０は、受信部１０１と、復号部１０２と、分離部１０３と、ＳＩ解析部１０４と、デコード部１０５と、出力制御部１０６と、表示部１０７と、スピーカ１０８と、通信ＩＦ（インターフェース）１１０と、メモリ１１１と、外部ＩＦ制御部１２０と、システム制御部１３０とを備えている。また、デコード部１０５は、映像デコード部１０５１と、音声デコード部１０５２とを備えている。受信部１０１は、映像コンテンツ（映像情報）が含まれる番組データが多重化されたデジタル放送の放送波を受信する。コンテンツとは、データ放送番組ないしデータ放送番組と併用される双方向通信を通して配信される内容を構成するデータ群である。特に、放送で配信される場合は、そのデータ群を配信する番組内のストリームの集合を指す。一つのデータ放送番組は、複数のコンテンツから構成されうる。番組データには、その番組の映像データ及び音声データが含まれる。通信ＩＦ１１０は、ネットワークに通信接続する。なお、デジタル放送は、高度ＢＳ放送であっても現行放送（衛星／地上デジタル放送）であってもよい。
【００１５】
例えば、デジタル放送のメディアトランスポート方式としては、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ（一般社団法人  電波産業会））  ＳＴＤ−６０規格に記載のＭＭＴ（ＭＰＥＧ  Ｍｅｄｉａ  Ｔｒａｎｓｐｏｒｔ）方式が採用されている場合について説明する。高度ＢＳ放送では、番組データ及び構成情報等の多重化データがＭＭＴＰ（ＭＭＴ  Ｐｒｏｔｏｃｏｌ）パケット化されて伝送される。構成情報は、放送番組や放送に伴って提供されるサービスを構成するための情報であり、ＭＭＴ−ＳＩ（ＭＭＴ−Ｓｙｓｔｅｍ  Ｉｎｆｏｒｍａｔｉｏｎ）、ＴＬＶ（Ｔｙｐｅ  Ｌｅｎｇｔｈ  Ｖａｌｕｅ）−ＳＩなどの制御情報が含まれる。ＭＭＴ−ＳＩは、後述する放送事業者が設定するメッセージとテーブルと記述子とにより記述される。ＴＬＶ−ＳＩとは、ＩＰパケットの多重に関する制御情報であり、選局のための情報やＩＰアドレスとサービスの対応情報を提供する。なお、現行放送では、例えば、ＭＰＥＧ−２  ＳＹＳＴＥＭに規定されるＴＳ（Ｔｒａｎｓｐｏｒｔ  Ｓｔｒｅａｍ）により、番組データ及び構成情報等の多重化データがＴＳパケット化されて伝送される。これらは、通信を用いる場合も同様である。
【００１６】
また、本実施形態において、デジタル放送を提供する放送サービス（以下、単に「サービス」ともいう）の少なくとも一部は、放送番組の少なくとも一部についてサイマル放送を行う。サイマル放送とは、同じ時間帯に同じ番組を複数の異なる解像度で放送する同時並行放送（例えば、２Ｋ放送と４Ｋ又は８Ｋ放送との同時並行放送）のことをいう。なお、２Ｋ放送、４Ｋ放送、及び８Ｋ放送は、それぞれ２Ｋ映像、４Ｋ映像、及び８Ｋ映像のコンテンツの放送である。なお、２Ｋ映像、４Ｋ映像、及び８Ｋ映像は、映像の水平方向の画素数に基づく表現である。
【００１７】
受信部１０１は、伝送されるデジタル放送の放送波をアンテナ１１により受信する。また、受信部１０１は、受信した受信信号をシステム制御部１３０から入力される選局信号で指定されるチャンネルの周波数でベースバンド信号にダウンコンバートし、復調することにより、多重化データに変換する。そして、受信部１０１は、変換した多重化データを復号部１０２に出力する。
【００１８】
復号部１０２は、受信部１０１から入力された多重化データ（暗号化されている）を、送信側で用いられた方式に対応する復号方式（例えば、ＡＥＳ（Ａｄｖａｎｃｅｄ  Ｅｎｃｒｙｐｔｉｏｎ  Ｓｔａｎｄａｒｄ）やＭＵＬＴＩ２）で復号し、復号された多重化データを生成する。そして、復号部１０２は、生成した多重化データを分離部１０３に出力する。
【００１９】
分離部１０３は、復号部１０２から入力された復号後の多重化データから番組データ及び構成情報に分離する。さらに、分離部１０３は、番組データから映像データと音声データとを抽出する。分離部１０３は、抽出した映像データを映像デコード部１０５１に出力する。また、分離部１０３は、抽出した音声データを音声デコード部１０５２に出力する。また、分離部１０３は、構成情報をＳＩ解析部１０４へ出力する。
【００２０】
ＳＩ解析部１０４は、構成情報に含まれるＭＭＴ−ＳＩ、ＴＬＶ−ＳＩなどの制御情報を解析する。例えば、ＳＩ解析部１０４は、ＭＭＴ−ＳＩに含まれるＭＨ−ＢＩＴ（ＭＨ−Ｂｒｏａｄｃａｓｔｅｒ  Ｉｎｆｏｒｍａｔｉｏｎ  Ｔａｂｌｅ）に記述されている情報に基づいてサービス毎の解像度に関する付加情報（例えば、「最大解像度情報」）を得る。最大解像度情報は、そのサービスで放送される番組の映像コンテンツの最大解像度を示す情報である。また、ＳＩ解析部１０４は、ＭＭＴ−ＳＩに含まれるＭＨ−ＥＩＴ（ＭＨ−Ｅｖｅｎｔ  Ｉｎｆｏｒｍａｔｉｏｎ  Ｔａｂｌｅ）から番組に関する情報と、番組毎の解像度情報を得る。ＭＨ−ＢＩＴからサービス毎の最大解像度情報を得る方法と、ＭＨ−ＥＩＴから番組毎の解像度情報を得る方法との具体例については、後述する。
【００２１】
映像デコード部１０５１は、分離部１０３から映像データが入力される。入力された映像データは、所定の映像符号化方式（例えば、ＨＥＶＣ、ＭＰＥＧ−２  ビデオ）で符号化されたデータである。映像デコード部１０５１は、入力された映像データを、符号化に用いられた符号化方式と対応する復号方式で復号し、復号した映像データを生成する。そして、映像デコード部１０５１は、生成した映像データを出力制御部１０６に出力する。
【００２２】
音声デコード部１０５２は、分離部１０３から音声データが入力される。入力された音声データは、所定の音声符号化方式（例えば、ＭＰＥＧ−４  オーディオ）で符号化されたデータである。音声デコード部１０５２は、入力された音声データを、符号化に用いられた符号化方式と対応する復号方式で復号し、復号した音声データを生成する。そして、音声デコード部１０５２は、復号した音声データを出力制御部１０６に出力する。
【００２３】
出力制御部１０６は、映像デコード部１０５１から入力された映像データに基づく映像信号を表示部１０７へ出力する。表示部１０７は、映像デコード部１０５１から入力された映像データに基づく映像を表示する。例えば、表示部１０７は、液晶ディスプレイ、有機ＥＬ（Ｅｌｅｃｔｒｏｌｕｍｉｎｅｓｃｅｎｃｅ）ディスプレイ、等を含んで構成される。また、出力制御部１０６は、音声デコード部１０５２から入力された音声データに基づく音声信号をスピーカ１０８へ出力する。
【００２４】
メモリ１１１は、各種のデータやプログラムを記憶する記憶媒体である。例えば、メモリ１１１は、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、又はそれらの任意の組み合わせを含んで構成される。
【００２５】
外部ＩＦ制御部１２０は、外部機器とのインターフェースを行う。例えば、外部ＩＦ制御部１２０は、リモコン２０からの制御信号を取得する。リモコン２０は、受信装置１０を遠隔操作するためのリモートコントローラ（遠隔操作装置）であり、ユーザの操作に応じて操作情報が含まれる制御信号を受信装置１０へ送信する。外部ＩＦ制御部１２０は、取得した制御信号に含まれる操作情報をシステム制御部１３０に出力する。
【００２６】
システム制御部１３０は、ＣＰＵ等を含んで構成され、メモリ１１１に格納されたソフトウェア（プログラム）を実行することにより、受信装置１０の種々の動作を制御する。例えば、システム制御部１３０は、外部ＩＦ制御部１２０から入力される操作情報に基づいて、受信装置１０における電源のＯＮ／ＯＦＦ、各種設定、選局などの動作を制御する。また、システム制御部１３０は、ＥＰＧ（Ｅｌｅｃｔｒｏｎｉｃ  Ｐｒｏｇｒａｍ  Ｇｕｉｄｅ、以下、「電子番組表」或いは単に「番組表」ともいうことがある）を生成し、映像デコード部１０５１に出力することにより、表示部１０７にＥＰＧ画面を表示させる。
【００２７】
（システム制御部１３０の機能構成）
図２は、本実施形態に係るシステム制御部１３０の機能構成の一例を示す図である。図示するシステム制御部１３０は、ＥＰＧ（電子番組表）に関する処理を行う機能構成として、抽出部１３１と、番組表生成部１３２と、番組表表示制御部１３３とを備えている。
【００２８】
抽出部１３１は、ＳＩ解析部１０４の解析結果に基づいて、サービス毎の最大解像度情報と、番組毎の解像度情報と、番組の内容に関する番組情報とを抽出する。
【００２９】
（サービス毎の最大解像度情報）
ここで、図３から図７を参照して、ＳＩ解析部１０４がＭＭＴ−ＳＩからサービス毎の最大解像度情報を得る方法についての一例を具体的に説明する。
【００３０】
ＭＭＴ−ＳＩには、メッセージ、テーブル、記述子が含まれている。メッセージは、テーブルや記述子を格納する。テーブルは、特定の情報属性を持つ。記述子は、テーブルのより詳細な情報を示す。これらメッセージ、テーブル、記述子は、３階層の構造となっている。メッセージには、Ｐａｃｋａｇｅ  Ａｃｃｅｓｓ（ＰＡ）メッセージ、Ｍ２セクションメッセージ、ＣＡメッセージ、Ｍ２短セクションメッセージ、データ伝送メッセージ、及び事業者が設定するメッセージが含まれる。
【００３１】
図３は、ＭＭＴ−ＳＩの第１の構成例を示す図である。ＭＭＴ−ＳＩに含まれるＭ２セクションメッセージにＭＨ−ＢＩＴが含まれている。ＭＨ−ＢＩＴは、ネットワーク上に存在するブロードキャスタの情報を提示するために用いられるテーブルである。このＭＨ−ＢＩＴには、ＭＨ−サービスリスト記述子が含まれている。
【００３２】
図４は、ＭＨ−サービスリスト記述子の例を示す図である。図示するように、ＭＨ−サービスリスト記述子（ＭＨ−Ｓｅｒｖｉｃｅ＿Ｌｉｓｔ＿Ｄｅｓｃｒｉｐｔｏｒ）には、記述子タグ（ｄｅｓｃｒｉｐｔｏｒ＿ｔａｇ）、記述子長（ｄｅｓｃｒｉｐｔｏｒ＿ｌｅｎｇｔｈ）、サービス識別（ｓｅｒｖｉｃｅ＿ｉｄ）、サービス形式種別（ｓｅｒｖｉｃｅ＿ｔｙｐｅ）などが含まれる。サービス識別は、１６ビットのフィールドで、そのＴＬＶストリーム内の情報サービスをユニークに識別する。サービス形式種別は、８ビットのフィールドで、図５に示す表に従ってサービスの種類を示す。
【００３３】
図５は、サービス形式種別の例を示す図である。０ｘ００から０ｘＦＦで表されるサービス形式種別のそれぞれに意味が定義されている。例えば、ＡＲＩＢ  ＳＴＤ-Ｂ１０の規定でリザーブとなっている０ｘＡ２〜０ｘＡ３、０ｘＡ５〜０ｘＡＤなどを解像度の設定用として利用できる。
【００３４】
図６は、サービス形式種別と解像度の設定例を示す図である。図示する例では、サービス形式種別（ｓｅｒｖｉｃｅ＿ｔｙｐｅ）０ｘＡ５、０ｘＡ６、０ｘＡ７、それぞれ２Ｋ、４Ｋ、８Ｋの解像度を意味するものとして設定されている。図４に示すＭＨ−サービスリスト記述子において、サービス形式種別に０ｘＡ５、０ｘＡ６、０ｘＡ７のいずれかが最大解像度情報として記述されて伝送されることで、受信装置１０は、各サービスの最大解像度情報を抽出し、各サービスの解像度を識別することができる。
【００３５】
図７は、各サービスの最大解像度を識別する例を示す図である。図示する例では、ＭＨ−サービスリスト記述子において、サービス識別（ｓｅｒｖｉｃｅ＿ｉｄ）０ｘＡＢＣＤ、０ｘＢＣＤＡ、及び０ｘＤＡＢＣのサービスは、サービス形式種別（ｓｅｒｖｉｃｅ＿ｔｙｐｅ）が０ｘＡ７であるため、図５に示す解像度設定に基づいて最大解像度（ｍａｘ＿ｖｉｄｅｏ  ｒｅｓｏｌｕｔｉｏｎ）が８Ｋであると識別される。また、サービス識別（ｓｅｒｖｉｃｅ＿ｉｄ）０ｘＣＤＡＢのサービスは、サービス形式種別（ｓｅｒｖｉｃｅ＿ｔｙｐｅ）が０ｘＡ６であるため、最大解像度（ｍａｘ＿ｖｉｄｅｏ  ｒｅｓｏｌｕｔｉｏｎ）が４Ｋであると識別される。すなわち、図７は、サービス毎の最大解像度を示す図である。
【００３６】
上述したように、ＳＩ解析部１０４は、サービス毎のＭＨ−ＢＩＴに記述されている情報に基づいてサービス毎の解像度を解析し、サービス毎の最大解像度情報を得る。抽出部１３１は、ＳＩ解析部１０４の解析結果に基づいて、サービス毎の最大解像度情報を抽出する。
【００３７】
（番組毎の解像度情報）
次に、図８から図１２を参照して、ＳＩ解析部１０４がＭＭＴ−ＳＩから番組毎の解像度情報を得る方法についての一例を具体的に説明する。
図８は、ＭＭＴ−ＳＩの第２の構成例を示す図である。ＭＭＴ−ＳＩに含まれるＭ２セクションメッセージにＭＨ−ＥＩＴが含まれている。ＭＨ−ＥＩＴは、番組の名称、放送日時などの番組に関する情報が記述されているテーブルである。このＭＨ−ＥＩＴには、映像コンポーネント記述子が含まれている。
【００３８】
図９は、ＭＨ−ＥＩＴの構成例を示す図である。図示するように、ＭＨ−ＥＩＴには、テーブル識別子（ｔａｂｌｅ＿ｉｄ）、セクションシンタクス指示（ｓｅｃｔｉｏｎ＿ｓｙｎｔａｘ＿ｉｎｄｉｃａｔｏｒ）、セクション長（ｓｅｃｔｉｏｎ＿ｌｅｎｇｔｈ）、サービス識別（ｓｅｒｖｉｃｅ＿ｉｄ）、バージョン番号（ｖｅｒｓｉｏｎ＿ｎｕｍｂｅｒ）、カレントネクスト指示（ｃｕｒｒｅｎｔ＿ｎｅｘｔ＿ｉｎｄｉｃａｔｏｒ）、セクション番号（ｓｅｃｔｉｏｎ＿ｎｕｍｂｅｒ）、最終セクション番号（ｌａｓｔ＿ｓｅｃｔｉｏｎ＿ｎｕｍｂｅｒ）、ＴＬＶストリーム識別（ｔｌｖ＿ｓｔｒｅａｍ＿ｉｄ）、オリジナルネットワーク識別（ｏｒｉｇｉｎａｌ＿ｎｅｔｗｏｒｋ＿ｉｄ）、セグメント最終セクション番号（ｓｅｇｍｅｎｔ＿ｌａｓｔ＿ｓｅｃｔｉｏｎ＿ｎｕｍｂｅｒ）、最終テーブル識別（ｌａｓｔ＿ｔａｂｌｅ＿ｉｄ）、イベント識別（ｅｖｅｎｔ＿ｉｄ）、開始時間（ｓｔａｒｔ＿ｔｉｍｅ）、継続時間（ｄｕｒａｔｉｏｎ）、進行状態（ｒｕｎｎｉｎｇ＿ｓｔａｔｕｓ）、スクランブル（ｆｒｅｅ＿ＣＡ＿ｍｏｄｅ）、記述子ループ長（ｄｅｓｃｒｉｐｔｏｒｓ＿ｌｏｏｐ＿ｌｅｎｇｔｈ）、記述子（ｄｅｓｃｒｉｐｔｏｒ（））などが含まれる。また、記述子（ｄｅｓｃｒｉｐｔｏｒ（））の一つに映像コンポーネント記述子が含まれる。
【００３９】
図１０は、映像コンポーネント記述子の構成例を示す図である。図示するように、映像コンポーネント記述子には、記述子タグ（ｄｅｓｃｒｉｐｔｏｒ＿ｔａｇ）、記述子長（ｄｅｓｃｒｉｐｔｏｒ＿ｌｅｎｇｔｈ）、映像信号解像度（ｖｉｄｅｏ＿ｒｅｓｏｌｕｔｉｏｎ）、映像信号アスペクト比（ｖｉｄｅｏ＿ａｓｐｅｃｔ＿ｒａｔｉｏ）、映像スキャンフラグ（ｖｉｄｅｏ＿ｓｃａｎ＿ｆｌａｇ）などが含まれる。
【００４０】
図１１は、映像コンポーネント記述子に含まれる映像信号解像度（ｖｉｄｅｏ＿ｒｅｓｏｌｕｔｉｏｎ）の例を示す図であり、映像信号解像度（ｖｉｄｅｏ＿ｒｅｓｏｌｕｔｉｏｎ）に記述される値とその意味を示している。図示するように、例えば、映像信号解像度の値０〜７のそれぞれに意味が定義されている。ここでは、各値の意味として垂直方向の解像度が定義されている。例えば、映像信号解像度の値「７」は解像度８Ｋに相当し、映像信号解像度の値「６」は解像度４Ｋに相当し、映像信号解像度の値「５」は解像度２Ｋに相当する。
【００４１】
ＳＩ解析部１０４は、ＭＨ−ＥＩＴのサービス識別（ｓｅｒｖｉｃｅ＿ｉｄ）及びイベント識別（ｅｖｅｎｔ＿ｉｄ）と（図９参照）、映像コンポーネント記述子の映像信号解像度（ｖｉｄｅｏ＿ｒｅｓｏｌｕｔｉｏｎ）と（図１０参照）、を関連付けして保持する。
図１２は、サービス識別（ｓｅｒｖｉｃｅ＿ｉｄ）及びイベント識別（ｅｖｅｎｔ＿ｉｄ）と映像信号解像度（ｖｉｄｅｏ＿ｒｅｓｏｌｕｔｉｏｎ）とを関連付けしたテーブルを示す図である。この図は、ＳＩ解析部１０４がＭＨ−ＥＩＴから取得した情報に基づいて解析した番組毎の解像度情報に相当する。サービス識別（ｓｅｒｖｉｃｅ＿ｉｄ）とイベント識別（ｅｖｅｎｔ＿ｉｄ）がそれぞれサービスと番組を示しており、映像信号解像度（ｖｉｄｅｏ＿ｒｅｓｏｌｕｔｉｏｎ）が番組毎の解像度を示している。このようにして、ＳＩ解析部１０４は、サービス毎のＭＨ−ＥＩＴに記述されている情報に基づいて番組毎の解像度情報を得る。抽出部１３１は、ＳＩ解析部１０４の解析結果に基づいて、番組毎の解像度情報を抽出する。
【００４２】
また、抽出部１３１は、図７に示すサービス毎の最大解像度情報と、図１２に示す番組毎の解像度情報とを、図１３に示すように関連付けて保持する。
図１３は、サービス毎の最大解像度情報と番組毎の解像度情報とを関連付けた管理情報の一例を示す図である。図示する例では、サービス識別（ｓｅｒｖｉｃｅ＿ｉｄ）０ｘＡＢＣＤと、イベント識別（ｅｖｅｎｔ＿ｉｄ）０ｘ１１１１と、映像信号解像度（ｖｉｄｅｏ＿ｒｅｓｏｌｕｔｉｏｎ）８Ｋと、最大解像度（ｍａｘ＿ｖｉｄｅｏ  ｒｅｓｏｌｕｔｉｏｎ）８Ｋとが関連付けられている。また、サービス識別（ｓｅｒｖｉｃｅ＿ｉｄ）０ｘＢＣＤＡと、イベント識別（ｅｖｅｎｔ＿ｉｄ）０ｘ２２２２と、映像信号解像度（ｖｉｄｅｏ＿ｒｅｓｏｌｕｔｉｏｎ）４Ｋと、最大解像度（ｍａｘ＿ｖｉｄｅｏ  ｒｅｓｏｌｕｔｉｏｎ）８Ｋとが関連付けられている。また、サービス識別（ｓｅｒｖｉｃｅ＿ｉｄ）０ｘＣＤＡＢと、イベント識別（ｅｖｅｎｔ＿ｉｄ）０ｘ３３３３と、映像信号解像度（ｖｉｄｅｏ＿ｒｅｓｏｌｕｔｉｏｎ）４Ｋと、最大解像度（ｍａｘ＿ｖｉｄｅｏ  ｒｅｓｏｌｕｔｉｏｎ）４Ｋとが関連付けられている。また、サービス識別（ｓｅｒｖｉｃｅ＿ｉｄ）０ｘＤＡＢＣと、イベント識別（ｅｖｅｎｔ＿ｉｄ）０ｘ４４４４と、映像信号解像度（ｖｉｄｅｏ＿ｒｅｓｏｌｕｔｉｏｎ）８Ｋと、最大解像度（ｍａｘ＿ｖｉｄｅｏ  ｒｅｓｏｌｕｔｉｏｎ）８Ｋとが関連付けられている。
【００４３】
つまり、図１３に示す例では、イベント識別（ｅｖｅｎｔ＿ｉｄ）０ｘ１１１１の番組の解像度が８Ｋであって、その番組を放送するサービスの最大解像度も８Ｋであることを示している。また、イベント識別（ｅｖｅｎｔ＿ｉｄ）０ｘ２２２２の番組の解像度が４Ｋであって、その番組を放送するサービスの最大解像度は８Ｋであることを示している。また、イベント識別（ｅｖｅｎｔ＿ｉｄ）０ｘ３３３３の番組の解像度が４Ｋであって、その番組を放送するサービスの最大解像度も４Ｋであることを示している。また、イベント識別（ｅｖｅｎｔ＿ｉｄ）０ｘ４４４４の番組の解像度が８Ｋであって、その番組を放送するサービスの最大解像度も８Ｋであることを示している。
【００４４】
図２に戻り、番組表生成部１３２は、抽出部１３１により抽出されたサービス毎の最大解像度情報と、番組毎の解像度情報と、番組の内容に関する番組情報とに基づいて、ＥＰＧ（電子番組表）を生成する。例えば、番組表生成部１３２は、サービス毎の最大解像度情報（図１３の最大解像度（ｍａｘ＿ｖｉｄｅｏ  ｒｅｓｏｌｕｔｉｏｎ））に基づいてサービス毎の番組表示欄の表示領域（表示枠）を決定する。また、番組表生成部１３２は、番組毎の解像度情報（図１３の映像信号解像度（ｖｉｄｅｏ＿ｒｅｓｏｌｕｔｉｏｎ））に基づいて番組毎の番組表示欄の表示領域を決定する。具体的には、番組表生成部１３２は、サービス毎の番組表示欄の表示領域（表示枠）の幅を、最大解像度が高いサービスほど広い幅にし、最大解像度が低いサービスほど狭い幅にする。また、番組表生成部１３２は、サービス毎の番組表示欄の表示領域内（表示枠の中）において、各サービスの番組毎の番組表示欄の表示領域の幅を解像度が高い番組ほど広い幅にし、解像度が低い番組ほど狭い幅にする。
【００４５】
番組表表示制御部１３３は、番組表生成部１３２が生成したＥＰＧ（電子番組表）に基づく映像データを生成し、映像デコード部１０５１に出力する。これにより、映像デコード部１０５１から出力制御部１０６を介して表示部１０７にＥＰＧ画面が表示される。
【００４６】
（ＥＰＧ画面の表示例）
図１４は、ＥＰＧ画面の表示例を説明する図である。図示するＥＰＧ画面における番組表は、時刻が縦軸、各サービス（チャンネル）が横軸で構成されている例である。各サービスの番組が列ごとに時系列に表示される。各サービスの列の幅が、各サービスの表示枠の幅であり、各サービスの最大解像度に応じた幅となる。例えば、サービス識別（ｓｅｒｖｉｃｅ＿ｉｄ）が０ｘＡＢＣＤ、０ｘＢＣＤＡ、０ｘＤＡＢＣのサービス（サービス名：ＡＴＶ、ＢＴＶ、ＤＴＶ）の表示枠の幅ｂ８は、最大解像度８Ｋに対応する幅である。また、サービス識別（ｓｅｒｖｉｃｅ＿ｉｄ）が０ｘＣＤＡＢのサービス（サービス名：ＣＴＶ）の表示枠の幅ｂ４は、最大解像度４Ｋに対応する幅である。幅ｂ４は、幅ｂ８より狭く、例えば幅ｂ８の半分の幅である。
【００４７】
また、各サービスで放送される番組の表示領域は、各サービスの表示枠の中で各番組の解像度に応じた幅となる。ここでは、符号ｃ１１、ｃ１２、ｃ１３などが示す「８Ｋ」、「４Ｋ」などが各番組の解像度を便宜的に表している。例えば、符号ｃ１１が示す解像度８Ｋの番組の表示領域は、この番組を放送する最大解像度８Ｋのサービス（ＡＴＶ）の表示枠の幅ｂ８と放送時間とで決まる領域ｄ１１と同じ領域となる。即ち、最大解像度８Ｋのサービスで放送される番組のうち解像度８Ｋの番組は、そのサービスの表示枠の幅ｂ８と同じ幅で表示される。なお、最大解像度４Ｋのサービスで放送される番組のうち解像度４Ｋの番組は、同様に、そのサービスの表示枠の幅ｂ４と同じ幅で表示される。
【００４８】
一方、符号ｃ１２が示す解像度４Ｋの番組の表示領域は、この番組を放送する最大解像度８Ｋのサービス（ＢＴＶ）の表示枠の幅ｂ８と放送時間とで決まる領域ｄ１２より狭い幅（例えば、解像度４Ｋに対応する幅ｂ４）となる。即ち、最大解像度８Ｋのサービスで放送される番組のうち解像度４Ｋの番組は、そのサービスの表示枠の中で幅ｂ８より狭い幅ｂ４で表示される。
【００４９】
なお、ＥＰＧ画面において、各サービスの最大解像度が表示されてもよい。図１４に示す例では、各サービスの番組表示欄の上部（サービス名の上）に、各サービスの最大解像度の値が表示されている。
【００５０】
このように、受信装置１０は、ＥＰＧ画面において、各サービス(チャンネル)及び各サービス(チャンネル)で放送される各番組の表示領域を解像度に対応した幅で表示させるので、例えばサービス(チャンネル)の解像度が８Ｋであるか４Ｋであるかといったことや、各番組の解像度が８Ｋであるか４Ｋであるかといったこと等の解像度情報が一目でわかる。また、このＥＰＧ画面により、本来は８Ｋが放送できるサービス(チャンネル)であるのに番組を８Ｋで放送していないことや、サービス(チャンネル)が４Ｋ放送(或いは２Ｋ放送)の能力しかなく、８Ｋ放送の能力を有していないこと等が容易にわかる。また、一見して８Ｋ放送の枠に８Ｋ番組や４Ｋ番組、あるいは４Ｋ放送の枠に４Ｋ番組が予定されていることがわかるため、例えば８Ｋ放送の解像度の表示ができるディスプレイを持っているユーザが、わざわざ解像度の低い映像を見ることがないように、受信装置１０において番組表から容易にフィルタリングの設定を行うこともできる。例えば、受信装置１０は、ある解像度（例えば、８Ｋ）のサービスだけを優先的に番組表に表示させてもよい。
【００５１】
（ＥＰＧ画面の他の表示例）
図１５は、ＥＰＧ画面の他の表示例を説明する図である。図示するＥＰＧ画面における番組表は、図１４と同様に、時刻が縦軸、各サービス（チャンネル）が横軸で構成されている例である。ここでは、サービス（チャンネル）のうち、選択された解像度に合致したサービス（チャンネル）のみの一覧が表示されている。例えば、リモコン２０に解像度を選択する操作子が設けられていて、その操作子に対してユーザが操作することにより番組表に表示させたい番組の解像度を選択できるようにしてもよい。この場合、受信装置１０は、リモコン２０から解像度を選択する操作を示す操作情報を取得すると、選択された解像度のサービスのみを、または選択された解像度のサービス優先して番組表に表示させてもよい。これにより、受信装置１０は、ネットワーク（ネットワーク識別（ｎｅｔｗｏｒｋ＿ｉｄ））別の番組表やジャンル別の番組表のみならず、新しい軸（ここでは、解像度）に基づく番組表を表示できる。
【００５２】
例えば、受信装置１０は、図１５に示すように、同じ解像度のサービス（チャンネル）の番組表として、ＢＳ（Ｂｒｏａｄｃａｓｔｉｎｇ  Ｓａｔｅｌｌｉｔｅ）、ＣＳ（Ｃｏｍｍｕｎｉｃａｔｉｏｎ  Ｓａｔｅｌｌｉｔｅｓ）、インターネット等の各ネットワークのサービス（チャンネル）が混在した番組表を生成してもよい。また、受信装置１０は、今までユーザが視聴していなかったジャンルの番組(例えば、８Ｋ放送であれば、ダイナミックな風景を扱う番組や、臨場感あるスポーツ番組や映画等)を優先して番組表を生成してもよい。これにより、受信装置１０は、今までユーザが視聴していなかったジャンルの番組の視聴をユーザに促すこともできるため、有料放送局等においてユーザを獲得する際の大きな利点となる。
【００５３】
以上説明したように、本実施形態に係る受信装置１０は、抽出部１３１と、番組表生成部１３２とを備えている。抽出部１３１は、映像コンテンツが含まれる番組を提供する複数のサービス毎の最大解像度情報（サービス毎に付加された解像度に関するサービス付加情報の一例）と、番組毎の解像度情報（番組毎に付加された解像度に関する番組付加情報の位置亭）とを抽出する。番組表生成部１３２は、抽出部１３１により抽出されるサービス毎の最大解像度情報と番組毎の解像度情報とに基づいて、番組表を生成する。
これにより、受信装置１０は、サービス毎または番組毎の解像度を電子番組表で容易に判別できる。
【００５４】
例えば、番組表生成部１３２は、サービス毎の最大解像度情報に基づいてサービス毎の番組表示欄の表示領域（表示枠）を決定し、番組毎の解像度情報に基づいて番組毎の番組表示欄の表示領域を決定する。
これにより、受信装置１０は、サービス毎の番組表示欄及び番組毎の番組表示欄の表示領域の大きさで、サービス毎または番組毎の解像度を電子番組表で容易に判別できる。
【００５５】
具体的には、番組表生成部１３２は、サービス毎の番組表示欄の表示領域（表示枠）の幅を、最大解像度が高いサービスほど広い幅にし、最大解像度が低いサービスほど狭い幅にする。
これにより、受信装置１０は、サービス毎の表示枠の幅により、ユーザが直観的にサービス毎の解像度を判別できる。
【００５６】
また、番組表生成部１３２は、サービス毎の番組表示欄の表示領域内において、番組毎の番組表示欄の表示領域の幅を解像度が高い番組ほど広い幅にし、解像度が低い番組ほど狭い幅にする。
これにより、受信装置１０は、サービス毎の表示枠の中における番組毎の表示領域の幅により、ユーザが直観的に番組毎の解像度を判別できる。
【００５７】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００５８】
例えば、図１４、１５において、時刻が縦軸、各サービス（チャンネル）が横軸で構成された番組表の表示例を説明したが、番組表の構成例はこれに限られるものではない。例えば、時刻が横軸、各サービス（チャンネル）が縦軸で構成された番組表としてもよい。
【００５９】
また、上記実施形態では、受信装置１０がテレビジョン装置である例を説明したが、受信装置１０は、放送信号を受信する機能を備えたテレビジョン放送の録画機（ハードディスクレコーダ等）、パーソナルコンピュータ、多機能携帯電話機（いわゆる、スマートフォンを含む）、タブレット端末装置等であってもよい。
【００６０】
なお、上述した実施形態における受信装置１０の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、受信装置１０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６１】
また、受信装置１０の一部又は全部を、ＬＳＩ（Ｌａｒｇｅ  Ｓｃａｌｅ  Ｉｎｔｅｇｒａｔｉｏｎ）等の集積回路として実現してもよい。また、本実施形態の受信装置１０内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００６２】
１０  受信装置、１０１  受信部、１０２  復号部、１０３  分離部、１０４  ＳＩ解析部、１０５  デコード部、１０５１  映像デコード部、１０５２  音声デコード部、１０６  出力制御部、１０７  表示部、１０８  スピーカ、１１０  通信ＩＦ、１１１  メモリ、１２０  外部ＩＦ制御部、１３０  システム制御部、１３１  抽出部、１３２  番組表生成部、１３３  番組表表示制御部
【図１】
2017184210.tif 000003
【図２】
2017184210.tif 000004
【図３】
2017184210.tif 000005
【図４】
2017184210.tif 000006
【図５】
2017184210.tif 000007
【図６】
2017184210.tif 000008
【図７】
2017184210.tif 000009
【図８】
2017184210.tif 000010
【図９】
2017184210.tif 000011
【図１０】
2017184210.tif 000012
【図１１】
2017184210.tif 000013
【図１２】
2017184210.tif 000014
【図１３】
2017184210.tif 000015
【図１４】
2017184210.tif 000016
【図１５】
2017184210.tif 000017